(57)【要約】筐体に表示される絵柄の変更が可能な携帯端末であって、透明部材を用いた曲面状の透明な筐体（２０１）と、前記透明な筐体（２０１）の裏面に貼付され、表示の変更が可能でかつ変更後は電源がなくても表示が可能な表示部材と、前記表示部材に表示する情報が格納される記憶手段と、前記記憶手段からその情報を読み出して、前記表示部材の表示を制御する制御手段と、を備え、前記制御手段は、通信網に接続し、前記通信網を介して外部装置から前記表示部材に表示する情報を取得し、前記表示部材に表示する。
2009016996.tif 000002
【特許請求の範囲】
【請求項１】
筐体に表示される絵柄の変更が可能な携帯端末であって、
透明部材を用いた透明筐体と、
前記透明筐体の一面側に設けられ、表示の変更が可能でかつ変更後は電源がなくても表示が可能な表示部材と、を含むことを特徴とする携帯端末。
【請求項２】
前記表示部材は前記透明筐体の裏面に貼付されることを特徴とする請求項１に記載の携帯端末。
【請求項３】
前記透明筐体は曲面をなすことを特徴とする請求項１に記載の携帯端末。
【請求項４】
前記表示部材の表示を制御する制御手段を含むことを特徴とする請求項１に記載の携帯端末。
【請求項５】
前記表示部材に表示する情報が格納される記憶手段を含み、
前記制御手段は前記記憶手段からその情報を読み出し、前記表示部材に表示することを特徴とする請求項４に記載の携帯端末。
【請求項６】
前記制御手段は通信網に接続し、前記通信網を介して外部装置から前記表示部材に表示する情報を取得し、前記表示部材に表示することを特徴とする請求項４に記載の携帯端末。
【請求項７】
外部装置と非接触で通信を行う非接触カードを含み、
前記制御手段は前記非接触カードを介して通信網に接続し、前記通信網および前記非接触カードを介して前記外部装置から前記表示部材に表示する情報を取得することを特徴とする請求項６に記載の携帯端末。
【請求項８】
前記透明筐体はタッチパネルで構成されることを特徴とする請求項１に記載の携帯端末。
【請求項９】
前記携帯端末の本体を支持する卓上ホルダが含まれ、
前記卓上ホルダは前記透明筐体と、前記表示部材とを含むことを特徴とする請求項１に記載の携帯端末。
【請求項１０】
筐体に表示される絵柄を変更する携帯端末の着せ替え方法であって、
前記携帯端末は透明部材を用いた透明筐体と、前記透明筐体の一面側に設けられ、表示の変更が可能でかつ変更後は電源がなくても表示が可能な表示部材と、前記表示部材に表示する情報が格納される記憶部と、前記表示部材および前記記憶部を制御する制御部と、を含み、
前記制御部は前記記憶部からその情報を読み出し、前記表示部材に表示する表示ステップを含むことを特徴とする携帯端末の着せ替え方法。
【請求項１１】
前記制御部は通信網に接続する接続ステップと、
前記通信網を介して外部装置から前記表示部材に表示する情報を取得する取得ステップと、
取得した情報を前記記憶部に格納する格納ステップと、を含むことを特徴とする請求項１０に記載の携帯端末の着せ替え方法。
【請求項１２】
前記携帯端末は前記携帯端末の本体を支持する卓上ホルダを含み、
前記卓上ホルダは前記透明筐体および前記表示部材を含み、
前記制御部は前記記憶部からその情報を読み出し、前記卓上ホルダの表示部材に表示する表示ステップを含むことを特徴とする請求項１０に記載の携帯端末の着せ替え方法。
【請求項１３】
透明部材を用いた透明筐体と、前記透明筐体の一面側に設けられ、筐体に表示される絵柄の変更が可能でかつ変更後は電源がなくても表示が可能な表示部材とを含む携帯端末に対し、前記表示部材に表示する情報を配信する着せ替えデータ配信方法であって、
前記携帯端末の発売前に、装置開発メーカーから表示用コンテンツの作成に必要な仕様をコンテンツプロバイダーに提示する提示ステップと、
前記コンテンツプロバイダーが提示された前記仕様に基づき着せ替え情報を作成する作成ステップと、
前記携帯端末の発売後に、ユーザーが購入したい着せ替え情報を見つけた場合に、前記コンテンツプロバイダーが通信事業者を介して前記ユーザーに課金する課金ステップと、
前記課金後に前記ユーザーが前記購入したい着せ替え情報をダウンロードするダウンロードステップと、
前記ユーザーが前記ダウンロードした着せ替え情報を前記表示部材に設定する設定ステップと、を含むことを特徴とする着せ替えデータ配信方法。
【請求項１４】
コンピュータに、筐体に表示される絵柄を変更する携帯端末の着せ替え方法を実現させるプログラムであって、
前記携帯端末は透明部材を用いた透明筐体と、前記透明筐体の一面側に設けられ、表示の変更が可能でかつ変更後は電源がなくても表示が可能な表示部材と、前記表示部材に表示する情報が格納される記憶部と、前記表示部材および前記記憶部を制御する制御部と、を含み、
前記制御部に、前記記憶部からその情報を読み出させ、前記表示部材に表示させる表示ステップを実行させる、
ように機能させることを特徴とするプログラム。
【発明の詳細な説明】
【技術分野】
【０００１】
本発明は、携帯端末およびその着せ替え方法ならびに着せ替えデータ配信方法に関し、特に筐体に表示される絵柄の変更が可能な携帯端末およびその着せ替え方法ならびに着せ替えデータ配信方法に関する。
【背景技術】
【０００２】
近年、ＬＣＤ（ｌｉｑｕｉｄ  ｃｒｙｓｔａｌ  ｄｉｓｐｌａｙ）の画面表示（壁紙やフォントに始まり、最近ではメニューアイコン等も）をユーザーごとにカスタマイズするサービスが盛んなビジネスとして存在し、拡大していく方向にある。ＬＣＤ表示のみならず、外観においてもコンテンツをダウンロードすることで変更できればユーザーの楽しみがまたひとつ増えることになるし、コンテンツを提供する側にとっても新ビジネスとなる。【０００３】
関連する携帯端末の一例として、筐体本体に着脱可能なプラスチックの着せ替えパネルを装着できるものが存在する。これにより、ユーザーに新たな楽しみを提供することが可能となる。【０００４】
しかし、この種のプラスチックの着せ替えパネルは、パネルを筐体本体に組み付けるための段差、突起、ネジ等、デザインを邪魔する要素が存在する。【０００５】
また、着せ替えパネル提供者が着せ替え用のプラスチックパネルの種類を物理的に増やさない限り、ユーザーは着せ替えの種類を増やすことができない。一方、提供側で着せ替え用のプラスチックパネルの種類を増やすと、無駄な在庫を作り、その都度設計費が発生し負担を増加させることになる。【０００６】
また、この種のプラスチックの着せ替えパネルは、端末の薄型化が求められる最近では実現が難しく、代替する方法や提案が必要となっている。【０００７】
そこで、プラスチックパネルを交換しなくても着せ替えが可能な携帯端末の一例が図１２に表示されている。図１２は関連する携帯端末の一例の断面図である。図１２は一例として、折りたたみ型携帯端末の一例の表示面側筐体の断面を示している。【０００８】
同図を参照すると、関連する携帯端末の一例の表示面側筐体は、ＬＣＤ１００と、バックライト１０１と、透明な筐体１０２と、ＬＣＤフレーム１０３および１０４と、バックライト１０５と、ＬＣＤ１０６と、スクリーン１０７と、筐体１０８とを含んで構成される。【０００９】
表示面を構成するのはＬＣＤ１０６で、背面にバックライト１０５が設けられ、前面にスクリーン１０７が設けられる。また、ＬＣＤ１０６およびバックライト１０５はＬＣＤフレーム１０４により支持され、スクリーン１０７は筐体１０８により支持される。【００１０】
一方、着せ替え画面を表示するのがＬＣＤ１００で、背面にバックライト１０１が設けられ、前面に透明な筐体１０２が設けられる。【００１１】
また、ＬＣＤ１００およびバックライト１０１はＬＣＤフレーム１０３により支持され、透明な筐体１０２は筐体１０８により支持される。【００１２】
また、透明な筐体１０２は一例として曲面に構成されており、そのためＬＣＤ１００と透明な筐体１０２との間には空間１０９が存在する。【００１３】
この携帯端末では着せ替え画面用にＬＣＤ１００を用いているが、ＬＣＤは表示更新速度が速い反面、いくつかの課題や制限が発生する。【００１４】
まず、第一にＬＣＤは曲げられないため携帯端末の表面処理が平坦であれば問題ないであろうが、基本的に携帯電話のようにデザインが重要であるものであると、筐体の表面は曲面であることが多い。そのため、デザインとして曲面と一体となるような構造が望まれる。【００１５】
しかし、図１２に示すように、着せ替え画面用にＬＣＤ１００を用いた場合は曲面と一体となるような構造にすることができない。また、外部から透明な筐体１０２を通してＬＣＤ１００を見るため、空間１０９には何も実装することができなくなり、無駄なスペースが発生してしまう。【００１６】
第二にＬＣＤは表示すること自体で電力が必要となる。また単純に表示させただけでは視認性が悪いためバックライトによる照明も必要となる。【００１７】
一方、上記課題を解決するために着せ替え画面用に電子ペーパーを採用した携帯端末が開示されている（特許文献１参照）。【００１８】
技術の進歩によって、電子ペーパーは以前のようなモノクロ表示だけでなくカラーの表示が可能になり、薄い、曲がる、書き換え時以外は電力を消費しない等のメリットの実現が形として見えてきた。特に、電子ペーパーを曲がった状態で実装することによるデザイン性自由度の向上（関連技術であるＬＣＤを利用した表示では実現できない）と、省電力化を求められる携帯電話に代表されるような携帯端末では書き換え後に電力が不要となるメリットは大きい。【００１９】
図１３は電子ペーパーの一例の断面図である。同図を参照すると、電子ペーパーの一例は、透明フィルム３０２と、コレステリック液晶（青）３０３と、コレステリック液晶（緑）３０４と、コレステリック液晶（赤）３０５と、光吸収層３０６とが積層されており、これに電極３０７が取り付けられ、側面が封止剤３０８にて封止されている。【００２０】
そして、白色の入射光３０１に対してドライバ（不図示）で制御した設定によって反射する光の強度を３枚のコレステリック液晶（青、緑、赤）３０３〜３０５で調整し、色として表現している。基本的に、光吸収層３０６にてこのフィルムを光が透過することがないので、図１２の空間１０９は自由なスペースとして利用できる。【００２１】
さて、特許文献１に開示の携帯端末では、同特許文献の図２に示されるように、筐体１００の表面に電子ペーパー（外装用表示装置１０６）を貼付している。この場合、以下のような欠点がある。【００２２】
第一に、ユーザーが携帯端末を使い込んでいるうちに、何らかの衝撃で電子ペーパーを剥がしてしまう恐れがある。また、ユーザーが故意に電子ペーパーを剥がした場合に、故意に剥がしたのか自然に剥がれたのか区別がつかず、装置メーカーでのユーザークレームへの対応が難しいという欠点がある。【００２３】
第二に、同特許文献の図２の場合、筐体１００の端面やフレキシブル基板（不図示）を保護しながら電子ペーパーを基板に誘導することが難しい。必ず外装用表示装置１０６の端面から電子ペーパーのフレキシブル基板が外部から見えてしまうので、ユーザーが携帯端末を使用するときに簡単に外部からの衝撃でフレキシブル基板を断線させてしまう恐れがある。【００２４】
第三に、同特許文献記載の携帯端末では、ＬＣＤやキーを避けるようにして表面の電子ペーパーの形状を異形に加工する形となっており、関連技術で電子ペーパーをこのような形状に加工するのは難しい。同特許文献記載の携帯端末では、プリインストールされた情報を表示しているが、一例として表示するコンテンツを装置開発メーカー以外のメーカー等で作る場合、電子ペーパーが異形（規格外）の形状であるとコンテンツの設計が難しく、類似する携帯端末が発売されたときにコンテンツの流用性も薄れてしまう。また、広いエリアを確保できている携帯端末裏面の電子ペーパーも、裏面である以上外部から隠れてしまうのでデザイン的にあまり有効な方法ではない。【００２５】
また、筐体の表面に電子ペーパーを設ける他の一例が特許文献２に開示されている。【００２６】
また、キートップの文字部に電子ペーパーを使用したキー入力装置が特許文献３に開示されている。【００２７】
また、電子ペーパーと非接触カードを使用し、非接触カードを介して外部装置から情報を受取り、受取った情報を電子ペーパーに表示する表示ユニットが特許文献４に開示されている。【００２８】
また、ネットワークから着せ替えデータをダウンロードし、得た着せ替えデータを電子ペーパーに表示する電子装置が特許文献５に開示されている。【００２９】
【特許文献１】特開２００４−１９２４９７号公報
【特許文献２】特開２００５−１２８４０６号公報
【特許文献３】特開２００５−３５２９８７号公報
【特許文献４】特開２００４−１２７２７９号公報
【特許文献５】特開２００６−２９３０００号公報
【発明の開示】
【発明が解決しようとする課題】
【００３０】
しかし、図１２に示すように着せ替え用の表示部材をＬＣＤで構成した場合は、無用の空間１０９が生じ、また特許文献１に開示されるように表示部材を電子ペーパーで構成し、この電子ペーパーを筐体の表面に貼付した場合は電子ペーパーが剥がれ、あるいは電子ペーパーのフレキシブル基板が断線する恐れがある。【００３１】
一方、これらを解決する手段は上記特許文献２〜５にも開示されていない。【００３２】
そこで本発明の目的は、筐体の内部に無用の空間が生じることがなく、かつ表示部材を電子ペーパーで構成した場合に、電子ペーパーが剥がれたり電子ペーパーのフレキシブル基板が断線したりすることがない携帯端末およびその着せ替え方法ならびに着せ替えデータ配信方法を提供することにある。
【課題を解決するための手段】
【００３３】
前記課題を解決するために本発明による携帯端末は、筐体に表示される絵柄の変更が可能な携帯端末であって、透明部材を用いた透明筐体と、前記透明筐体の一面側に設けられ、表示の変更が可能でかつ変更後は電源がなくても表示が可能な表示部材とを含むことを特徴とする。【００３４】
また、本発明による携帯端末の着せ替え方法は、筐体に表示される絵柄を変更する携帯端末の着せ替え方法であって、前記携帯端末は透明部材を用いた透明筐体と、前記透明筐体の一面側に設けられ、表示の変更が可能でかつ変更後は電源がなくても表示が可能な表示部材と、前記表示部材に表示する情報が格納される記憶部と、前記表示部材および前記記憶部を制御する制御部とを含み、前記制御部は前記記憶部からその情報を読み出し、前記表示部材に表示する表示ステップを含むことを特徴とする。【００３５】
また、本発明による着せ替えデータ配信方法は、透明部材を用いた透明筐体と、前記透明筐体の一面側に設けられ、筐体に表示される絵柄の変更が可能でかつ変更後は電源がなくても表示が可能な表示部材とを含む携帯端末に対し、前記表示部材に表示する情報を配信する着せ替えデータ配信方法であって、前記携帯端末の発売前に、装置開発メーカーから表示用コンテンツの作成に必要な仕様をコンテンツプロバイダーに提示する提示ステップと、前記コンテンツプロバイダーが提示された前記仕様に基づき着せ替え情報を作成する作成ステップと、前記携帯端末の発売後に、ユーザーが購入したい着せ替え情報を見つけた場合に、前記コンテンツプロバイダーが通信事業者を介して前記ユーザーに課金する課金ステップと、前記課金後に前記ユーザーが前記購入したい着せ替え情報をダウンロードするダウンロードステップと、前記ユーザーが前記ダウンロードした着せ替え情報を前記表示部材に設定する設定ステップとを含むことを特徴とする。【００３６】
また、本発明によるプログラムは、コンピュータに、筐体に表示される絵柄を変更する携帯端末の着せ替え方法を実現させるプログラムであって、前記携帯端末は透明部材を用いた透明筐体と、前記透明筐体の一面側に設けられ、表示の変更が可能でかつ変更後は電源がなくても表示が可能な表示部材と、前記表示部材に表示する情報が格納される記憶部と、前記表示部材および前記記憶部を制御する制御部と、を含み、前記制御部に、前記記憶部からその情報を読み出させ、前記表示部材に表示させる表示ステップを実行させる、ように機能させることを特徴とする。
【発明の効果】
【００３７】
本発明によれば、筐体の内部に無用の空間が生じることがなく、かつ表示部材を電子ペーパーで構成した場合に、電子ペーパーが剥がれたり電子ペーパーのフレキシブル基板が断線したりすることがない携帯端末およびその着せ替え方法ならびに着せ替えデータ配信方法が得られる。
【図面の簡単な説明】
【００３８】
【図１】本発明に係る携帯端末の第１の実施形態のＡ−Ａ′断面図である。
【図２】同携帯端末の第１の実施形態の表示面およびキーボード面の外観図（携帯端末を開いた状態）である。
【図３】同携帯端末の第１の実施形態の裏面の外観図（携帯端末を開いた状態）である。
【図４】本発明に係る携帯端末の第１の実施形態の構成図である。
【図５】第１の実施形態の動作の一例を示すフローチャートである。
【図６】本発明に係る携帯端末の第２の実施形態の動作の一例を示すフローチャートである。
【図７】本発明に係る携帯端末の第４の実施形態の構成図である。
【図８】本発明に係る携帯端末の第５の実施形態の斜視図である。
【図９】同携帯端末のＢ−Ｂ′断面図である。
【図１０】第５の実施形態の全体構成図である。
【図１１】第５の実施形態の動作の一例を示すフローチャートである。
【図１２】関連する携帯端末の一例の断面図である。
【図１３】電子ペーパーの一例の断面図である。
【符号の説明】
【００３９】
２０１  透明な筐体
２０２，５１３，８０３  電子ペーパー
２０３，２７３  電源ＩＣ
２０４，９０２  制御ＩＣ
２０５  ＬＣＤフレーム
２０６  バックライト
２０７  ＬＣＤ
２０８，５１４  筐体
２０９  フレキシブル基板（ＦＰＣ）
２１０  コネクタ
２１１  電子ペーパーのドライバ部
２１２  プリント基板
２１３  スクリーン
２５１  第１筐体
２５２  第２筐体
２５３  ヒンジ部
２５４  表示部
２５５  キーボード部
２６１  所定の装置
２７１  ベースバンドＩＣ
２７２  ＲＦＩＣ
２７４  電池パック
２７５  アンテナ
３０７  電極
４０７  ＬＣＤなどのその他デバイス
４１１，９０３  メモリ
５１１  スクリーン
５１２  抵抗膜式タッチパネル
８０１  携帯端末
８０２  収納穴
８０４  透明筐体
８０５  制御回路
８０６  ＩＯコネクタ
８０７  プラグ
８０８  ＡＣアダプタ
８１１，９１４，９１５  線材
９０１  卓上ホルダ
９０８  ドライバ部
９１０  電源回路
９１１  充電保護回路
９１３  電源
【発明を実施するための最良の形態】
【００４０】
以下、本発明の実施形態について添付図面を参照しながら説明する。まず、第１の実施形態について説明する。図１は本発明に係る携帯端末の第１の実施形態のＡ−Ａ′断面図、図２は同携帯端末の第１の実施形態の表示面およびキーボード面の外観図（携帯端末を開いた状態）、図３は同携帯端末の第１の実施形態の裏面の外観図（携帯端末を開いた状態）である。【００４１】
図２および図３に示すように、本第１の実施形態では携帯端末の一例として、折りたたみ型携帯端末の一例を示している。しかし、本発明はこれに限定されるものではなく、一体型携帯端末にも本発明の適用が可能である。【００４２】
図２を参照すると、本発明に係る携帯端末は、第１筐体２５１と、第２筐体２５２と、ヒンジ部２５３とを含んで構成される。第１筐体２５１および第２筐体２５２はヒンジ部２５３を介して開閉可能に構成されている。【００４３】
また、第１筐体２５１の表面には表示部２５４が設けられ、第２筐体２５２の表面にはキーボード部２５５が設けられる。【００４４】
図３を参照すると、第１筐体２５１の裏面には透明な筐体２０１が設けられ、第２筐体２５２の裏面には所定の装置２６１が設けられる。【００４５】
図２および図３には第１筐体２５１に対し、Ａ−Ａ′断面位置が表示されているが、この断面を示すのが図１である。【００４６】
図１を参照すると、第１筐体２５１は、透明な筐体２０１と、電子ペーパー２０２と、電源ＩＣ（ｉｎｔｅｇｒａｔｅｄ  ｃｉｒｃｕｉｔ）２０３と、制御ＩＣ２０４と、ＬＣＤフレーム２０５と、バックライト２０６と、ＬＣＤ２０７と、筐体２０８と、フレキシブル基板（ＦＰＣ：ｆｌｅｘｉｂｌｅ  ｐｒｉｎｔｅｄ  ｃｉｒｃｕｉｔ）２０９と、コネクタ２１０と、電子ペーパーのドライバ部２１１と、プリント基板２１２とを含んで構成される。【００４７】
表示面を構成するのはＬＣＤ２０７で、背面にバックライト２０６が設けられ、前面にスクリーン２１３が設けられる。また、ＬＣＤ２０７およびバックライト２０６はＬＣＤフレーム２０５により支持され、スクリーン２１３は筐体２０８により支持される。【００４８】
一方、着せ替え画面を表示するのが電子ペーパー２０２で、電子ペーパー２０２は透明な筐体２０１の裏面側に貼付される。【００４９】
プリント基板２１２には電源ＩＣ２０３と、制御ＩＣ２０４と、コネクタ２１０とが設けられる。【００５０】
また、コネクタ２１０と電子ペーパーのドライバ部２１１はフレキシブル基板２０９を介して接続される。【００５１】
フレキシブル基板２０９の一端は電子ペーパー２０２の電極３０７（図１３参照）と接続されている。【００５２】
電子ペーパー２０２は透明な筐体２０１に表示の邪魔をしないところで、図示しない接着テープ等で貼付されている。【００５３】
電子ペーパー２０２は、電気的には電子ペーパー２０２上の、図１３の電極３０７からフレキシブル基板２０９を通じ、電子ペーパーのドライバ部２１１を介してコネクタ２１０でプリント基板２１２に接続されている。【００５４】
プリント基板２１２上では配線を通じて、表示更新制御のための制御ＩＣ２０４と、電源供給用の電源ＩＣ２０３とが接続されている。【００５５】
なお、ＬＣＤ２０７周辺は一般的な折りたたみ型携帯端末に用いられる構成であるのでその説明は割愛する。【００５６】
次に、本発明に係る携帯端末の第１の実施形態の構成について説明する。図４は本発明に係る携帯端末の第１の実施形態の構成図である。なお、同図において、図１と同様の構成部分には同一番号を付し、その説明を省略する。【００５７】
同図を参照すると、本発明に係る携帯端末の第１の実施形態は、第１筐体２５１と、第２筐体２５２とを含んで構成される。【００５８】
第１筐体２５１は、電子ペーパー２０２と、電子ペーパーのドライバ部２１１と、電源ＩＣ２０３と、ＬＣＤなどのその他デバイス４０７と、制御ＩＣ２０４と、メモリ４１１とを含んで構成される。【００５９】
電子ペーパー２０２は制御ＩＣ２０４から制御信号４１２によって、電子ペーパーのドライバ部２１１を介して表示更新を行う。着せ替え表示データや動作に必要なプログラムはメモリ４１１に格納されている。【００６０】
着せ替え表示データはメモリ４１１に格納されているものを使用する場合の他に、インターネット等の通信網上からコンテンツをダウンロードし、それをメモリ４１１に格納して展開することも可能である。【００６１】
電子ペーパー２０２の電源信号４１５は電源ＩＣ２０３から供給される。この電源信号４１５は制御ＩＣ２０４によって電源ＩＣ２０３を制御し、出力あるいは停止制御することが可能となる。【００６２】
表示更新後に、電源ＩＣ２０３は出力を停止し、電力を消費しない動作を行う。電源ＩＣ２０３は後述する電池パック２７４から電力の供給を受ける。【００６３】
第２筐体２５２は、ベースバンドＩＣ２７１と、ＲＦＩＣ２７２と、電源ＩＣ２７３と、電池パック２７４と、アンテナ２７５とを含んで構成される。【００６４】
ＲＦＩＣ２７２はアンテナ２７５を介して信号を送信し、あるいはアンテナ２７５を介して信号を受信する。ベースバンドＩＣ２７１はＲＦＩＣ２７２からの信号をベースバンド信号に変換し、あるいはベースバンド信号をＲＦ信号に変換してＲＦＩＣ２７２へ出力する。【００６５】
電源ＩＣ２７３はベースバンドＩＣ２７１へ電源を供給する。電池パック２７４は電源ＩＣ２７３及び２０３へ電力を供給する。【００６６】
なお、第２筐体２５２の構成は、一般の携帯端末の送受信部と同様であるため、詳細な説明は省略する。【００６７】
次に、第１の実施形態の動作の概要について説明する。書き換え可能なカラーの電子ペーパー２０２を外から見えるように透明な筐体２０１の曲面に沿うような状態で裏面から貼り付ける。電子ペーパー２０２はプリント基板２１２を介して制御ＩＣ２０４と接続され、ソフトウエア制御によって表示すべき絵柄を電子ペーパー２０２に表示させる。【００６８】
そして、表示書き換えが完了した段階で、電子ペーパー２０２への電力供給は停止され、電子ペーパー２０２は表示情報を保持する。【００６９】
この状態でユーザーは透明な筐体２０１を通じて電子ペーパー２０２に表示された絵柄を楽しむことができる。電子ペーパー２０２は無電力で一度表示した情報を保持し続けることができるため、着せ替え用に好適である。【００７０】
次に、第１の実施形態の動作を図５を参照しながら詳細に説明する。図５は第１の実施形態の動作の一例を示すフローチャートである。なお、以下の動作は第１筐体２５１の制御ＩＣ２０４が各構成部分２０２、２０３、４０７、４１１および２７１を制御することにより実行される。【００７１】
本実施例は、インターネット等の通信網からダウンロードした着せ替えデータを用いた電子ペーパー２０２の表示更新を行う動作フローの一例を示している。しかし、着せ替えデータとして予めメモリ４１１に格納したものを用いることも可能である。【００７２】
まず、ユーザーはこの携帯端末を通信網、一例としてインターネットに接続し（ステップＳ１）、あるインターネットサイトから着せ替えデータをダウンロードする（ステップＳ２）。ダウンロードしたコンテンツは図４のメモリ４１１に格納される（ステップＳ３）。【００７３】
着せ替えデータを携帯端末に設定するために、図１のＬＣＤ２０７にユーザセッティング画面を表示し（ステップＳ４）、そこでそのコンテンツの設定を行う（ステップＳ５）。【００７４】
この時点で、図４の制御ＩＣ２０４が電源ＩＣ２０３に対して制御信号４１３を介して電源信号４１５を出力させるように命令する（ステップＳ６）。これによって、電子ペーパー２０２に電源が入力され、書き換え動作可能な状態となる。【００７５】
制御ＩＣ２０４が電子ペーパーのドライバ部２１１に制御信号４１２を通じて、電子ペーパー２０２の初期化と、メモリ４１１から表示更新内容を送信する（ステップＳ７）。【００７６】
電子ペーパー２０２への表示更新完了をもって、制御ＩＣ２０４が電源ＩＣ２０３に対して電源信号４１５の出力を停止させる（ステップＳ８）。こうすることで、電子ペーパー２０２は無電源で表示を維持している（ステップＳ９）。つまり、電池パック２７４の電力を消費せずに済むため、待ち受け時間減少に寄与しない。【００７７】
最後に、ＬＣＤ２０７のユーザセッティング画面で表示更新完了をユーザーに知らせる（ステップＳ１０）。ここで、再びユーザーが着せ替えデータを変更する場合は（ステップＳ１１にて“ＹＥＳ”の場合）、ステップＳ４から再び設定をし直すことになる。一方、再びユーザーが着せ替えデータを変更しない場合は（ステップＳ１１にて“ＮＯ”の場合）、動作は終了となる。【００７８】
以上説明したように、本発明の第１の実施形態によれば、着せ替えデータを携帯端末にダウンロードすることで、携帯端末内に実装した電子ペーパーに絵柄を表示し、ユーザー個々の着せ替え携帯端末を作ることが可能となる。【００７９】
また、電子ペーパーを、湾曲した筐体に貼り付けることでデザインと一体となった着せ替えを表現することが可能となる。またこの際、内部の無駄な実装スペースを作らない構成を作り出すことも可能である。【００８０】
また、筐体の裏面から電子ペーパーを貼り付ける構成を取ることで、電子ペーパー自体を保護することが可能となる。【００８１】
また、ユーザーが故意に電子ペーパーを剥がした場合に、故意に剥がしたのかあるいは自然に剥がれたのか区別がつかないという関連技術の課題については前述したが、これに対し、本発明では、電子ペーパーは筐体の中に実装されているため、ユーザーが直接電子ペーパーを剥がすことができないし、故意に剥がすためには筐体自体を開けなければならない。一方、通常筐体を開けた場合に、開けたことが分かるようなシール（シールが剥がれると筐体に模様が残るもの等）が貼り付けられているため、本発明では故意な破壊か否かを判別することも可能である。【００８２】
また、携帯端末の上側の筐体内部に図２に示すような形態で電子ペーパーを実装することにより、外部から一見して確認することができ、デザインに対する影響も大きく、また電子ペーパーを異形に加工する必要もないので現実的で最適といえる。【００８３】
次に、第２の実施形態について説明する。第２の実施形態は着せ替えデータ配信方法に関するものである。図６は本発明に係る携帯端末の第２の実施形態の動作の一例を示すフローチャートである。【００８４】
まず、本携帯端末が発売される前に、装置開発メーカーが画素数や再現できる色数等のコンテンツ作成に必要な仕様をコンテンツプロバイダーに提示する（ステップＳ２１）。【００８５】
これによってコンテンツプロバイダーは着せ替えデータを作成する（ステップＳ２２）。【００８６】
本携帯端末が発売された後に、ユーザーが購入したい着せ替えデータを見つけた場合、ユーザーに通信事業者を経由してコンテンツプロバイダーが課金することで（ステップＳ２３）、ユーザーはコンテンツのダウンロードを行うことが可能となる（ステップＳ２４）。ユーザーはダウンロードした着せ替えデータを携帯端末に設定することにより（ステップＳ２５）、当該着せ替えデータに対応する画像が電子ペーパーに表示される。【００８７】
ここで、コンテンツプロバイダーの収益が発生する（ステップＳ２６）。また、ユーザーがコンテンツをダウンロードするにあたってパケット通信費も同時に発生するため、通信事業者の収益もここで発生する（ステップＳ２７）。【００８８】
最終的に、ユーザーが街中で個々異なる着せ替えデータを披露することで、携帯端末の宣伝および販売促進にもなり、携帯端末の販売数の上昇が期待できる。【００８９】
以上説明したように、本発明の第２の実施形態によれば、着せ替えデータ配信という新しい携帯端末向けのコンテンツを創出することで、新しいコンテンツビジネスを提供することが可能となる。【００９０】
次に、第３の実施形態について説明する。第３の実施形態は着せ替えデータを非接触ＩＣカードを用いて取得する技術に関するものである。【００９１】
最近の携帯端末には、いわゆる「お財布ケータイ」に代表されるような非接触ＩＣカードが組み込まれているものが多く存在するようになってきた。街中にあるコンテンツスポットにて着せ替えパネル情報を非接触ＩＣカード技術を用いて、その場でしか手に入らないコンテンツを入手する仕組みを携帯端末で構築することも可能である。【００９２】
以上説明したように、本発明の第３の実施形態によれば、着せ替えデータのコンテンツをインターネット等の通信網経由ではなく、非接触ＩＣカードを用いることにより、着せ替えデータの入手方法を拡張することが可能となる。【００９３】
この場合、インターネット等の通信網と異なり、ユーザーが非接触ＩＣカードの入出力装置を備えるコンテンツスポットに行かなければ着せ替えデータを入手できないという限定した使い方が新しく生まれる。【００９４】
次に、第４の実施形態について説明する。第４の実施形態は電子ペーパーと抵抗膜式のタッチパネルを組み合わせる技術に関するものである。図７は本発明に係る携帯端末の第４の実施形態の構成図である。なお、同図において図１と同様の構成部分には同一番号を付し、その説明を省略する。【００９５】
同図を参照すると、本発明に係る携帯端末の第４の実施形態は、スクリーン５１１と、抵抗膜式タッチパネル５１２と、電子ペーパー５１３と、筐体５１４と、電源ＩＣ２０３と、制御ＩＣ２０４と、ＬＣＤフレーム２０５と、バックライト２０６と、ＬＣＤ２０７と、プリント基板２１２と、スクリーン２１３とを含んで構成される。【００９６】
電子ペーパー５１３はスクリーン５１１（図１の透明な筐体２０１に相当する）と抵抗膜式タッチパネル５１２との下に実装され、第１の実施形態（図１参照）と異なり、電子ペーパー５１３とスクリーン５１１間には所定のクリアランス（ｃｌｅａｒａｎｃｅ；隙間）が必要である。【００９７】
電子ペーパー５１３が書き換え可能な状態にて、この抵抗膜式タッチパネル５１２を通じてユーザー自身が上から絵柄を書くことでオリジナルの着せ替えデータを作成できるようになる。ただし、抵抗膜式タッチパネル５１２は基本的に曲げることができないため、第１の実施形態のように電子ペーパーを湾曲させて実装することはできない。【００９８】
以上説明したように、本発明の第４の実施形態によれば、抵抗膜式タッチパネル５１２は透明であるため、電子ペーパー５１３と重ねて実装することができる。【００９９】
また、抵抗膜式タッチパネル５１２を通して着せ替えデータを簡単に自作することができる。この場合、抵抗膜式タッチパネル５１２が電子ペーパー５１３と重なった構成であるため、同倍率での着せ替えデータを作成することが可能となる。【０１００】
これに対し、関連技術において、ＬＣＤ２０７からのデータ入力によって着せ替えデータを作成する場合は、ＬＣＤ２０７と電子ペーパー５１３とが異なるサイズであるため、異なる倍率での作成となってしまうという欠点がある。また、キーボードでの絵柄作成となるため、手書きに比べ時間がかかるという欠点もある。【０１０１】
次に、第５の実施形態について説明する。第５の実施形態は卓上ホルダに電子ペーパーを実装する技術に関するものである。図８は本発明に係る携帯端末の第５の実施形態の斜視図、図９は同携帯端末のＢ−Ｂ′断面図である。なお、図９において図８と同様の構成部分には同一番号を付し、その説明を省略する。【０１０２】
図８を参照すると、卓上ホルダ９０１は、収納穴８０２と、電子ペーパー８０３と、透明筐体８０４と、制御回路８０５と、ＩＯコネクタ８０６と、プラグ８０７とを含んで構成されている。【０１０３】
また、外部にＡＣアダプタ８０８と、ＡＣアダプタ８０８および制御回路８０５を接続する線材８１１とを含んでいる。【０１０４】
また、収納穴８０２に携帯端末８０１が収納される。【０１０５】
図８に示すように、卓上ホルダ９０１は円柱状をなしている。電子ペーパー８０３は曲げて実装することが可能であるため、同図に示すように筒状に曲げて実装されている。これを透明筐体８０４が包囲している。【０１０６】
ユーザーはこの透明筐体８０４を通じて電子ペーパー８０３に表示された情報を楽しむことができる。【０１０７】
携帯端末８０１はＩＯコネクタ８０６と卓上ホルダ９０１内のプラグ８０７とで卓上ホルダ９０１と接続されている。プラグ８０７は卓上ホルダ９０１内の電子ペーパー８０３を制御するための制御回路８０５と接続されている。【０１０８】
携帯端末８０１のＩＯコネクタ８０６の中には充電用の端子が含まれており、卓上ホルダ９０１内の回路基板（不図示）、制御回路８０５および線材８１１を介してＡＣアダプタ８０８と接続されている。【０１０９】
次に、第５の実施形態の全体の構成について説明する。図１０は第５の実施形態の全体構成図である。なお、同図において図８および図９と同様の構成部分には同一番号を付し、その説明を省略する。【０１１０】
図１０を参照すると、携帯端末８０１は、制御ＩＣ（ＣＰＵ：ｃｅｎｔｒａｌ  ｐｒｏｃｅｓｓｉｎｇ  ｕｎｉｔ）９０２と、メモリ９０３と、ＩＯコネクタ８０６とを含んで構成される。【０１１１】
卓上ホルダ９０１は、プラグ８０７と、電子ペーパー８０３と、ドライバ部９０８と、制御回路８０５と、電源回路９１０と、充電保護回路９１１とを含んで構成される。【０１１２】
また、外部にＡＣアダプタ８０８、電源９１３と、充電保護回路９１１とＡＣアダプタ８０８とを接続する線材８１１と、ＡＣアダプタ８０８と電源９１３とを接続する線材９１４とを含んでいる。【０１１３】
さらに、ＩＯコネクタ８０６とプラグ８０７と接続する線材９１５とを含んでいる。【０１１４】
電子ペーパー８０３は携帯端末８０１内の制御ＩＣ９０２の命令を受けて、メモリ９０３に格納された着せ替えデータを表示させる。このとき、メモリ９０３、制御ＩＣ９０２、ＩＯコネクタ８０６、プラグ８０７、制御回路８０５、ドライバ部９０８、電子ペーパー８０３の順で着せ替えデータは転送される。【０１１５】
また、電子ペーパー駆動用の電源は携帯端末８０１の電池を使用せず、ＡＣアダプタ８０８から取り込んだ電源を使用する。すなわち、電源９１３、線材９１４、ＡＣアダプタ８０８、線材８１１、電源回路９１０、ドライバ部９０８の順に電子ペーパー８０３用の電源を供給する。【０１１６】
次に、第５の実施形態の動作の一例について説明する。図１１は第５の実施形態の動作の一例を示すフローチャートである。以下、動作の一例として、携帯端末８０１が充電中および充電停止時に、卓上ホルダ９０１内の電子ペーパー８０３の表示を変更する動作について説明する。【０１１７】
まず、卓上ホルダ９０１へ携帯端末８０１を装着する（ステップＳ３１）。次に、携帯端末８０１側で電池の充電を必要であるか否かを判別する（ステップＳ３２）。【０１１８】
電池の充電が必要である場合は（ステップＳ３２にて“ＹＥＳ”の場合）、携帯端末８０１内の充電回路（不図示）で充電を開始する（ステップＳ３３）。【０１１９】
充電開始後に、携帯端末８０１のメモリ９０３に書き込まれた着せ替えデータＡを卓上ホルダ９０１の電子ペーパー８０３に展開する（ステップＳ３４）。このときの着せ替えデータＡは、充電中を知らせるための着せ替えデータである。【０１２０】
次に、携帯端末８０１を卓上ホルダ９０１から外すと（ステップＳ３５にて“ＹＥＳ”の場合およびステップＳ４０）、電子ペーパー８０３の表示内容を消去する（ステップＳ４１）。【０１２１】
また、ステップＳ３５にて携帯端末８０１を卓上ホルダ９０１から外さないと（ステップＳ３５にて“ＮＯ”の場合）、充電を継続し、充電が終了すると（ステップＳ３６）、ステップＳ３２に戻る。【０１２２】
一方、ステップＳ３２にて電池の充電が必要でない場合は（ステップＳ３２にて“ＮＯ”の場合）、通常の待ち受け状態を維持しつつ、卓上ホルダ９０１の電子ペーパー８０３に着せ替えデータＢを展開する（ステップＳ３７）。着せ替えデータＢは充電していないとき（充電の必要がないこと）を知らせるための着せ替えデータである。【０１２３】
次に、携帯端末８０１を卓上ホルダ９０１から外すと（ステップＳ３８にて“ＹＥＳ”の場合およびステップＳ４０）、電子ペーパー８０３の表示内容を消去する（ステップＳ４１）。【０１２４】
また、ステップＳ３８にて携帯端末８０１を卓上ホルダ９０１から外さない場合は（ステップＳ３８にて“ＮＯ”の場合）、時間の経過により電池電圧が降下し（ステップＳ３９）、ステップＳ３２に戻る。【０１２５】
なお、上記の例の他に不在着信時やメール受信時等端末の状態に合わせて異なる着せ替えデータを表示することも可能である。【０１２６】
以上説明したように、本発明の第５の実施形態によれば、第１〜第４の実施形態における筐体の着せ替え機能を卓上ホルダに拡大することが可能となる。すなわち、図８に示すように、筒状に電子ペーパーを曲げて卓上ホルダに実装することで、３６０度、着せ替えデータを楽しむことが可能となる。また、インターネット等の通信網経由でダウンロードしたコンテンツを携帯端末内のメモリから展開するため、表示内容は無限に存在することになる。【０１２７】
次に、第６の実施形態について説明する。第６の実施形態は着せ替え方法のプログラムに関するものである。【０１２８】
図４に示す携帯端末の第１筐体２５１内のメモリ４１１、および図１０に示す携帯端末８０１内のメモリ９０３には、図５および図１１にフローチャートで示す着せ替え方法のプログラムが格納されている。【０１２９】
図４に示す携帯端末の第１筐体２５１内の制御ＩＣ２０４はメモリ４１１から上記着せ替え方法のプログラムを読み出し、電子ペーパー２０２、ドライバ部２１１、電源ＩＣ２０３およびＬＣＤ等のその他のデバイス４０７に着せ替え方法の処理を実行させる。【０１３０】
同様に、図１０に示す携帯端末８０１内の制御ＩＣ９０２はメモリ９０３から上記着せ替え方法のプログラムを読み出し、ＩＯコネクタ８０６およびプラグ８０７を介して卓上ホルダ９０１内の電子ペーパー８０３、ドライバ部９０８、制御回路８０５、電源回路９１０および充電保護回路９１１に着せ替え方法の処理を実行させる。【０１３１】
それらの処理内容については既に述べたので、ここでの説明は割愛する。【０１３２】
以上説明したように、本発明の第６の実施形態によれば、筐体の内部に無用の空間が生じることがなく、かつ表示部材を電子ペーパーで構成した場合に、電子ペーパーが剥がれたり電子ペーパーのフレキシブル基板が断線したりすることがない携帯端末の着せ替え方法のプログラムが得られる。【０１３３】
本出願は、２００７年８月１日に出願された、日本国特許出願２００７−２００２７３号に基づく。本明細書中に日本国特許出願２００７−２００２７３号の明細書、特許請求の範囲、図面全体を参照として取り込むものとする。
【産業上の利用可能性】
【０１３４】
本発明を携帯電話機、通信機能付きノート型パーソナルコンピュータ、ＰＨＳ（ｐｅｒｓｏｎａｌ  ｈａｎｄｙ  ｐｈｏｎｅ  ｓｙｓｔｅｍ）、通信機能付きＰＤＡ（ｐｅｒｓｏｎａｌ  ｄａｔａ  ａｓｓｉｓｔａｎｃｅ，Ｐｅｒｓｏｎａｌ  ｄｉｇｉｔａｌ  ａｓｓｉｓｔａｎｔｓ：個人向け携帯型情報通信機器）等の携帯端末装置に適用することが可能である。
【図１】
2009016996.tif 000003
【図２】
2009016996.tif 000004
【図３】
2009016996.tif 000005
【図４】
2009016996.tif 000006
【図５】
2009016996.tif 000007
【図６】
2009016996.tif 000008
【図７】
2009016996.tif 000009
【図８】
2009016996.tif 000010
【図９】
2009016996.tif 000011
【図１０】
2009016996.tif 000012
【図１１】
2009016996.tif 000013
【図１２】
2009016996.tif 000014
【図１３】
2009016996.tif 000015
【国際調査報告】
2009016996.tif 000016
2009016996.tif 000017
2009016996.tif 000018
2009016996.tif 000019